(57)【要約】【課題】蓄電池を活用した誘導加熱調理器の設計を容易にし、コスト低減を図ること。【解決手段】本体内に第１の誘導加熱手段１と第２の誘導加熱手段２とを設け、本体へ商用の交流電源２０を入力する部分に整流回路２３を設け、整流した電力を第１の誘導加熱手段へ供給するとともに充電手段２４によって蓄電池２５に供給し、第２の誘導加熱手段には蓄電池から放電される電力で駆動することにより、回路構成を容易にし、コスト低減を図ることができる。【選択図】図１
2012003915.tif 000002
【特許請求の範囲】
【請求項１】
本体内に第１の誘導加熱手段と第２の誘導加熱手段とを設け、本体へ交流電源を入力する部分に整流回路を設け、第１の誘導加熱手段は本体上部に設けた第１の加熱コイルと第１の加熱コイルに高周波電流を供給する第１の駆動回路から構成されており、第２の誘導加熱手段は本体上部に設けた第２の加熱コイルと第２の加熱コイルに高周波電流を供給する第２の駆動回路から構成されており、整流回路で整流した電力を第１の誘導加熱手段へ供給し、さらに整流回路で整流した電力を充電手段によって蓄電池に供給し、第２の誘導加熱手段には蓄電池からの電力を供給し、第１の誘導加熱手段と第２の誘導加熱手段とを操作する操作制御手段を具備し、整流回路に供給される電力が所定の定格電力を超えないように少なくとも第１の誘導加熱手段および充電手段の消費電力を管理する電源入力制御手段を設けた誘導加熱調理器。
【請求項２】
操作制御手段に第２の誘導加熱手段が使用できる最大時間を加熱出力と蓄電池の充電量とに応じて表示する請求項１に記載の誘導加熱調理器。
【請求項３】
操作制御手段に第２の誘導加熱手段が使用できる最大時間を加熱出力と蓄電池の充電量とに応じて決め、その時間以内でタイマーの時間設定ができる請求項１または２に記載の誘導加熱調理器。
【請求項４】
所定の時刻の間のみ充電手段を駆動させ、蓄電池へ充電する請求項１〜３のいずれか１項に記載の誘導加熱調理器。
【請求項５】
第１の加熱コイルと第２の加熱コイルとで、一つの加熱部を構成する請求項１〜４のいずれか１項に記載の誘導加熱調理器。
【請求項６】
第１の加熱コイルの外周に第２の加熱コイルを具備した請求項５に記載の誘導加熱調理器。
【請求項７】
第２の加熱コイルに主と副との２種類を設け、第２の駆動回路には主加熱コイルと副加熱コイルとの接続を切替える切替え回路を具備し、第１の加熱コイルと第２の副加熱コイルとで一つの加熱部を形成し、第２の主加熱コイルは単独で別の加熱部を形成した請求項１〜４のいずれか１項に記載の誘導加熱調理器。
【請求項８】
蓄電池を少なくとも１つの加熱コイルの下側に設けた請求項１〜７のいずれか１項に記載の誘導加熱調理器。
【発明の詳細な説明】
【技術分野】
【０００１】
本発明は、交流電源と蓄電池電源の両者を使用した誘導加熱調理器に関するものである。
【背景技術】
【０００２】
従来、この種の誘導加熱調理器は、商用の交流電源を整流して直流電力を求めその直流電力を高周波電力に変換して誘導加熱部に供給する誘導加熱部駆動装置と、誘導加熱部での消費電力が零または少ないときに交流電源からの電力を蓄積する蓄電池と、誘導加熱部での消費電力が交流電源だけでは不足するときは前記蓄電池から蓄電池供給限界電力を超えない範囲内で不足分を前記誘導加熱部に供給するように制御するようにしている（例えば、特許文献１参照）。
【先行技術文献】
【特許文献】
【０００３】
【特許文献１】特開２００６−２７８１９２号公報
【発明の概要】
【発明が解決しようとする課題】
【０００４】
しかしながら、前記従来の構成では、同じ誘導加熱部に対して、商用の交流電源から直接供給できる電力と蓄積した蓄電池から供給できる電力とを足し合わせて誘導加熱部に供給する必要があり、その電力を足し合わせする回路が必要になり、その分の回路構成が複雑になり、コスト等がかかる等の課題があった。
【０００５】
もちろん、複数の加熱部を有する誘導加熱調理器の場合には、複数の加熱部の分だけ、上記課題が発生することになる。
【０００６】
本発明は、前記従来の課題を解決するもので、商用の交流電源の供給が少ない場合、例えば、１００Ｖ、１５Ａの商用の交流電源しか取れない電源事情の場合においても、蓄電池に充電することを応用して加熱出力等を大きくして、使い勝手の良い誘導加熱調理器を提供するとともに、回路構成を簡単にしてコスト低減を図り、さらに複数の加熱部を有する場合に対してもより効果的なコスト低減を図ることができる誘導加熱調理器を提供することを目的とする。
【課題を解決するための手段】
【０００７】
前記従来の課題を解決するために、本発明の誘導加熱調理器は、本体内に第１の誘導加熱手段と第２の誘導加熱手段とを設け、本体へ交流電源を入力する部分に整流回路を設け、第１の誘導加熱手段は本体上部に設けた第１の加熱コイルと第１の加熱コイルに高周波電流を供給する第１の駆動回路から構成されており、第２の誘導加熱手段は本体上部に設けた第２の加熱コイルと第２の加熱コイルに高周波電流を供給する第２の駆動回路から構成されており、整流回路で整流した電力を第１の誘導加熱手段へ供給し、さらに整流回路で整流した電力を充電手段によって蓄電池に供給し、第２の誘導加熱手段には蓄電池からの電力を供給し、第１の誘導加熱手段と第２の誘導加熱手段とを操作する操作制御手段を具備し、整流回路に供給される電力が所定の定格電力を超えないように少なくとも第１の誘導加熱手段および充電手段の消費電力を管理する電源入力制御手段を設けたものである。
【０００８】
これによって、第１の誘導加熱手段は、商用の交流電源のみから電源を供給され、第２
の誘導加熱手段は、蓄電池のみから電源を供給されることになり、商用の交流電源と蓄電池からの電源を足し合わせる回路が必要無いので、回路構成も簡単になり、コスト低減が図れることになる。もちろん、第２の誘導加熱手段は、蓄電池の充電状態で使用の制限が生まれることになるが、少なくとも、第１の誘導加熱手段は、商用の交流電源のみから電源を供給されているので、蓄電池の充電状態に関係なく使用することができ、結果として使い勝手は良くなる。
【発明の効果】
【０００９】
本発明の誘導加熱調理器は、商用の交流電源の供給が少ない場合においても蓄電池に充電することを応用して加熱出力等を大きくして使い勝手を向上させ、回路構成を簡単にしてコスト低減を図った誘導加熱調理器を提供することを目的とする。
【図面の簡単な説明】
【００１０】
【図１】本発明の実施の形態１における誘導加熱調理器の回路図
【図２】本発明の実施の形態１における誘導加熱調理器の本体の外観図
【図３】本発明の実施の形態１における誘導加熱調理器の本体の断面図
【図４】本発明の実施の形態１における誘導加熱調理器の蓄電池の充電が充分な時の操作表示部を示す図
【図５】本発明の実施の形態１における誘導加熱調理器の蓄電池の充電が無い時の操作表示部を示す図
【図６】本発明の実施の形態１における誘導加熱調理器の蓄電池の充電が不充分な時の操作表示部を示す図
【図７】本発明の実施の形態１における誘導加熱調理器のタイマー設定の操作表示部を示す図
【図８】本発明の実施の形態１における誘導加熱調理器の蓄電池の充電量と使用可能時間との関係図
【図９】本発明の実施の形態２における誘導加熱調理器の本体の上面図
【図１０】本発明の実施の形態３における誘導加熱調理器の本体の上面図
【図１１】本発明の実施の形態４における誘導加熱調理器の本体の上面図
【図１２】本発明の実施の形態４における誘導加熱調理器の第２の誘導加熱手段の主加熱コイルを使って加熱している操作表示部を示す図
【図１３】本発明の実施の形態４における誘導加熱調理器の第２の誘導加熱手段の副加熱コイルを使って加熱している操作表示部を示す図
【発明を実施するための形態】
【００１１】
第１の発明は、本体内に第１の誘導加熱手段と第２の誘導加熱手段とを設け、本体へ交流電源を入力する部分に整流回路を設け、第１の誘導加熱手段は本体上部に設けた第１の加熱コイルと第１の加熱コイルに高周波電流を供給する第１の駆動回路から構成されており、第２の誘導加熱手段は本体上部に設けた第２の加熱コイルと第２の加熱コイルに高周波電流を供給する第２の駆動回路から構成されており、整流回路で整流した電力を第１の誘導加熱手段へ供給し、さらに整流回路で整流した電力を充電手段によって蓄電池に供給し、第２の誘導加熱手段には蓄電池からの電力を供給し、第１の誘導加熱手段と第２の誘導加熱手段とを操作する操作制御手段を具備し、整流回路に供給される電力が所定の定格電力を超えないように少なくとも第１の誘導加熱手段および充電手段の消費電力を管理する電源入力制御手段を設けたものである。
【００１２】
これによって、第１の誘導加熱手段は、商用の交流電源のみから電源を供給され、第２の誘導加熱手段は、蓄電池のみから電源を供給されることになり、商用の交流電源と蓄電池からの電源を足し合わせる回路が必要無いので、回路構成も簡単になり、コスト低減が図れることになる。もちろん、第２の誘導加熱手段は、蓄電池の充電状態で使用の制限が
生まれることになるが、少なくとも、第１の誘導加熱手段は、商用の交流電源のみから電源を供給されているので、蓄電池の充電状態に関係なく使用することができ、結果として使い勝手は良くなる。
【００１３】
第２の発明は、特に、第１の発明の操作制御手段に第２の誘導加熱手段が使用できる最大時間を加熱出力と蓄電池の充電量とに応じて表示することにより、使用者は使用可能時間を考慮しながら調理方法等を選択でき、使い勝手を向上することができる。
【００１４】
第３の発明は、特に、第１または第２の発明の操作制御手段に第２の誘導加熱手段が使用できる最大時間を加熱出力と蓄電池の充電量とに応じて決め、その時間以内でタイマーの時間設定ができるとしたことにより、タイマーで設定時間前に蓄電池の充電が切れ、タイマー調理が途中で止まることが無いので、使い勝手を向上することができる。
【００１５】
第４の発明は、特に、第１〜３のいずれか１つの発明において、所定の時刻の間のみ充電手段を駆動させ、蓄電池へ充電することにより、例えば電気料金が安くなる時間帯のみに充電ができるようにでき、ランニングコストを低減することができる。
【００１６】
第５の発明は、特に、第１〜４のいずれか１つの発明の第１の加熱コイルと第２の加熱コイルとで、一つの加熱部を構成することにより、交流電源を使用する加熱部と蓄電池に充電された電力を使用する加熱部を一つの加熱部として使用することができ、製品の定格電力より大きな加熱出力で使用することができる。
【００１７】
第６の発明は、特に、第５の発明の第１の加熱コイルの外周に第２の加熱コイルを具備したことにより、交流電源で動作する加熱部と蓄電池に充電された電力で動作する加熱部を一つの加熱部として応用する際に、簡単な構成で実現することができる。
【００１８】
第７の発明は、特に、第１〜４のいずれか１つの発明の第２の加熱コイルに主と副との２種類を設け、第２の駆動回路には主加熱コイルと副加熱コイルとの接続を切替える切替え回路を具備し、第１の加熱コイルと第２の副加熱コイルとで一つの加熱部を構成し、第２の主加熱コイルは第１の加熱部から離れて設け、別の加熱部を構成することにより、夫々の加熱部は製品の定格電力より大きな加熱出力で使用することができる。また、製品としては複数の加熱部を有する誘導加熱調理器を実現することができる。
【００１９】
第８の発明は、特に、第１〜７のいずれか１つの発明の蓄電池を少なくとも１つの加熱コイルの下側に設けたことにより、被加熱部や加熱コイルから発生する熱を受けにくくすることができ、蓄電池の耐久寿命等を向上させることができる。
【００２０】
以下、本発明の実施の形態について、図面を参照しながら説明する。なお、この実施の形態によって本発明が限定されるものではない。
【００２１】
（実施の形態１）
図１は、本発明の第１の実施の形態における誘導加熱調理器の回路図、図２は本発明の第１の実施の形態における誘導加熱調理器の本体の外観図、図３は本発明の第１の実施の形態における誘導加熱調理器の本体の断面図（図２のＡ−Ａ断面）を示すものである。
【００２２】
図１〜図３において、第１の誘導加熱手段１と第２の誘導加熱手段２とを本体３内に設け、第１の誘導加熱手段１は第１の加熱コイル４と第１の加熱コイル４に高周波電流を供給する第１の駆動回路５から構成し、第１の駆動回路５はスイッチング素子６、共振コンデンサ７、平滑コンデンサ８を主要部品として具備している。
【００２３】
第２の誘導加熱手段２は第２の加熱コイル９と第２の加熱コイル９に高周波電流を供給する第２の駆動回路１０から構成し、第２の駆動回路１０はスイッチング素子１１、共振コンデンサ１２、平滑コンデンサ１３を主要部品として具備している。
【００２４】
第１の加熱コイル４および第２の加熱コイル９は、フェライト部材（図示せず）を具備した加熱コイルベース１４、１５（図３）で保持し、例えば、アルミ製の支持板１６に支えられ、本体３上部の例えば結晶化ガラス製のトッププレート１７の下に固定される。
【００２５】
第１の駆動回路５、第２の駆動回路１０は、樹脂製の基板ベース１８、１９に支えられ、本体３の底面と支持板１６との間に固定される。
【００２６】
本体３には、商用の交流電源２０と接続する電源コード２１を設け、商用の交流電源２０は、ノイズを低減するフィルタ等を具備する電源回路２２を介して整流回路２３にて整流される。
【００２７】
整流後の電気は、第１の誘導加熱手段１と充電手段２４に送られ、充電手段２４によって例えばニッケル水素電池からなる蓄電池２５に充電されることになる。また、充電手段２４には、充電時に交流電源２０の電流波形が歪まないようにするための電流制限機能等を設けている。
【００２８】
蓄電池２５は第１の加熱コイル４および第２の加熱コイル９を支えている支持板１６の下に設け、蓄電池２５に充電された電気は第２の誘導加熱手段２へ供給されることになる。
【００２９】
また、電源入力制御手段２６は、使用者が操作制御手段２７で入力する加熱の設定に応じて、常に製品の定格電力を超えないようにするために、電気的に接続した操作制御手段２７から加熱の設定の状態を把握し、電気的に接続した電源回路２２から消費電力を把握し、電気的に接続した第１の誘導加熱手段１、第２の誘導加熱手段２、充電手段２４を制御している。
【００３０】
操作制御手段２７は、操作表示基板（図示せず）で構成し、本体３の手前上部に設け、電源スイッチ２８、第１の誘導加熱手段１の操作表示部２９、第２の誘導加熱手段２の操作表示部３０を具備している。
【００３１】
トッププレート１７には、第１の加熱コイル４からなる加熱部３１を示す円形パターンを右側に、第２の加熱コイル９からなる加熱部３２を示す円形パターンを左側に印刷している。
【００３２】
なお、本実施の形態の商品仕様は、例えば定格電圧は交流１００Ｖ、定格電力は１４５０Ｗで、第１の誘導加熱手段１の最大出力は１４５０Ｗ、第２の誘導加熱手段２の最大出力は３０００Ｗになっている。
【００３３】
以上のように構成された誘導加熱調理器について、以下その動作、作用を説明する。
【００３４】
まず、電源スイッチ２８を入れ、トッププレート１７にある右側の円形パターン３１に鍋等の被加熱物（図示せず。）を置いて、操作表示部２９にて加熱動作を行うと第１の誘導加熱手段１が動作し、第１の加熱コイル４に、第１の駆動回路５から高周波電流が供給され、第１の加熱コイル４から高周波磁界が発生し、被加熱物を加熱することになる。
【００３５】
第１の誘導加熱手段１は、蓄電池２５の電気を使わず、商用の交流電源２０のみを使う
ことになっているので、常に安定して使うことができる。
【００３６】
次に、左側の円形パターン３２に鍋等の被加熱物（図示せず。）を置いて、操作表示部３０にて加熱動作を行うと第２の誘導加熱手段２が動作し、第２の加熱コイル９に、第２の駆動回路１０から高周波電流が供給され、第２の加熱コイル９から高周波磁界が発生し、被加熱物を加熱することになる。
【００３７】
第２の誘導加熱手段２は、蓄電池２５の電気のみで使っており、通常の１００Ｖ電源では困難な３０００Ｗの高出力まで蓄電池２５の電力を使用することができる。
【００３８】
日本の家庭配線において、一般的な商用の交流電源の１００Ｖの配線容量は最大１５Ａとなっているため、１００Ｖを使用する商品の定格出力は１５００Ｗ以下が基本となっている。
【００３９】
本実施の形態では、商品の定格電力を１４５０Ｗに設定しているので、その定格電力を超えないように、現時点の消費電力を電源回路２２に流れる電流値と電圧から検出し、電源入力制御手段２６に伝え、電源入力制御手段２６は定格電力から第１の誘導加熱手段１の現在使用中の出力を差し引いた分のみ、充電手段２４から蓄電池２５への充電を許可しているため、どんな状態でも商品の定格電力を超えることが無い。
【００４０】
さらに、操作表示部２９、操作表示部３０の操作内容について説明する。
【００４１】
図４は本発明の第１の実施の形態における誘導加熱調理器の蓄電池２５の充電が充分な時の操作表示部を示す図、図５は本発明の第１の実施の形態における誘導加熱調理器の蓄電池２５の充電が無い時の操作表示部を示す図、
図６は本発明の第１の実施の形態における誘導加熱調理器の蓄電池２５の充電が不充分な時の操作表示部を示す図、図７は本発明の第１の実施の形態における誘導加熱調理器のタイマー設定の操作表示部を示す図、
図８は本発明の第１の実施の形態における誘導加熱調理器の蓄電池２５の充電量と使用可能時間との関係図である。
【００４２】
図４において、第１の誘導加熱手段１の操作表示部２９の表示部３３は、例えば液晶表示にて形成し、表示部３３の近傍には、第１の誘導加熱手段１側の加熱（入／切）キー３４、揚げ物（入／切）キー３５、火力調整の上げる側キー３６、火力調整の下げる側キー３７、タイマー調整の増やす側キー３８、タイマー調整の減らす側キー３９を設けている。
【００４３】
また、第２の誘導加熱手段２の操作表示部３０の表示部４０は、例えば液晶表示にて形成し、表示部４０の近傍には、第２の誘導加熱手段２側の加熱（入／切）キー４１、火力調整の上げる側キー４３、火力調整の下げる側キー４４、タイマー調整の増やす側キー４５、タイマー調整の減らす側キー４６を設けている。
【００４４】
鍋等の被加熱物を加熱部３１、３２の両方に置いて、電源スイッチ２８を入れ、加熱（入／切）キー３４、４１を入りにすると、蓄電池２５の充電が充分な時は図４のような表示部３３、４０の表示になる。
【００４５】
第１の誘導加熱手段１側は、加熱開始時は、「５」表示の１ｋＷに加熱出力を設定され、火力調整キー３６、３７を押して出力を調整することになる。
【００４６】
もちろん、第１の誘導加熱手段１側は、蓄電池２５の充電と関係ないため、表示部３３
には充電に関する表示はない。第２の誘導加熱手段２側は、同様に加熱開始時は、「５」表示の１ｋＷに加熱出力を設定され、火力調整キー４３、４４を押して出力を調整することになる。
【００４７】
このとき、蓄電池２５の充電状態と加熱出力の設定との関係で、使用可能時間が決まるため、「可動」という文字表示とともに３６分と数値を出して使用者に使用可能時間を表示している。
【００４８】
一方、蓄電池２５の充電が無いときには、図５のように「充電」の文字を点滅させて、充電の文字の隣にある充電容量表示を空にし、使用者に充電が無いことを表示するとともに、加熱出力の表示も出さないことで、第２の誘導加熱手段２側は使用できないことを使用者に知らせている。
【００４９】
さらに、蓄電池２５の充電が不充分な時は、図６のように充電の文字の隣にある充電容量表示を所定の値にして、使用可能時間を後ほど説明する方法で算出し、「可動」という文字表示とともに２１分と数値を出して使用者にどれだけ使用できるかを表示している。
【００５０】
この時、使用者がタイマー調理（タイマー設定時間使って自動的に切れる機能）を使いたいと思って、タイマー調整キー４５、４６を操作してタイマー時間を設定することになるが、図６に示すようにそのタイマー設定時間は、使用可能時間（この場合は２１分）より少ない値でしか設定できないようになっており、タイマー調理中に蓄電池２５の充電が無くなり止ることは無い。
【００５１】
ここで、図７の実施の形態では１５分のタイマー調理時間が設定されているが、この表示時間が、使用者に使用可能時間の値を表現していると勘違いされやすいので、「可動」という文字を消し、「タイマー」という文字を表示するようにしている。
【００５２】
次に、蓄電池２５の充電量と使用可能時間との関係を図８にて説明する。本実施の形態の蓄電池２５は、定格充電量に１ｋＷｈの物を使用しており、有効使用充電量を例えば定格充電量の約６０％に設定しており、最大使用可能の充電量は０．６ｋＷｈになる。
【００５３】
この有効使用充電量を定格充電量の何％にするかは、蓄電池２５の寿命とかかわっており、その割合が高いとその寿命が短くなる傾向にあり、本実施の形態では６０％にとしたが、蓄電池の寿命を考えてその割合を変えても良い。
【００５４】
また、蓄電池２５の充電が充分な時の使用可能時間は、最大使用可能の充電量（０．６ｋＷｈ）を加熱出力の値で割り算した値になる。具体的には、加熱出力が１ｋＷの場合は、０．６ｋＷｈ÷１ｋＷ＝０．６ｈ＝３６分が使用可能時間となり、加熱出力が３ｋＷの場合は、０．６ｋＷｈ÷３ｋＷｈ＝０．２ｈ＝１２分が使用可能時間となる。
【００５５】
このことを図８で表現している。もちろん、蓄電池２５の充電量が少なくなれば、上述した関係から使用可能時間が減り、その使用可能時間は図８から求められることになる。
【００５６】
なお、図８は加熱出力の設定は１ｋＷと３ｋＷの場合しか表現していないが、実際は同様に各加熱出力の設定に対してこの関係を用意している。
【００５７】
もちろん、加熱出力を小さくすれば、１時間を越えての使用可能時間を表示する必要があり、１時間を超えた場合は表示部４０の時間表示の前にその数字を示すことになる。
【００５８】
また、本実施の形態では、右側の第１の誘導加熱手段１側のみ、揚げ物（入／切）キー
３５を設けており、油を入れた鍋を加熱部３２に載せ、この揚げ物（入／切）キー３５を押すと表示部３３の出力表示が消え、油の温度の設定を示す例えば１８０等の数字（図示せず）が表示され、揚げ物の温度制御ができ、火力調整の上げる側キー３６、火力調整の下げる側キー３７で、油の温度の設定値を変更することができる。
【００５９】
また、加熱（入／切）キー４１、タイマー調整の増やす側キー４５、タイマー調整の減らす側キー４６の３つを同時に押しながら電源スイッチ２８を入れると「深夜」という文字（図示せず）が表示部４０の充電文字の左側に表示され、予め設定している例えば午後１１時から翌朝の７時までの間のみ、電源入力制御手段２６が充電手段２４から蓄電池２５への充電を許可することになる。
【００６０】
また、その前記した「深夜」設定は不揮発性メモリ等に書込まれ、電源スイッチ２８を切っても記憶するようにしている。したがって、深夜料金で電気代が安くなる時間帯のみに充電ができるようになり、ランニングコストを低減することができる。また、前記した設定を解除するには、もう一度、加熱（入／切）キー４１、タイマー調整の増やす側キー４５、タイマー調整の減らす側キー４６の３つを同時に押しながら電源スイッチ２８を入れると「深夜」という文字（図示せず）が表示部４０から消えて設定が解除される。
【００６１】
以上のように、本実施の形態においては、電源容量の極めて小さい商用の１００Ｖの交流電源においても加熱部を２個有した誘導加熱調理器を提供することができる。
【００６２】
また、第１の誘導加熱手段１は、商用の交流電源２０のみから電源を供給され、第２の誘導加熱手段２は、蓄電池２５のみから電源を供給されることになり、商用の交流電源２０と蓄電池２５からの電源を足し合わせる回路が必要無いので、回路構成も簡単になり、コスト低減が図れることになる。
【００６３】
さらに、第２の誘導加熱手段２は、蓄電池２５の充電状態で使用の制限が発生することになるが、少なくとも、第１の誘導加熱手段１は、商用の交流電源２０のみから電源を供給されているので、蓄電池２５の充電状態に関係なく使用することができ、結果として使い勝手は良くなる。
【００６４】
また、蓄電池２５は第１の加熱コイル４および第２の加熱コイル９を支えている支持板１６の下に設けることにより、被加熱部の鍋や第１の加熱コイル４や第２の加熱コイル９から発生する熱を受けにくくすることができ、結果として、蓄電池の耐久寿命等を向上させることができる。
【００６５】
なお、本実施の形態において、第１の駆動回路５、第２の駆動回路１０はスイッチング素子を１個のみ使う方式としたが、２個以上のスイッチング素子を用いる方式としても良く、要は駆動回路で高周波電流を作り、電気的に接続されている加熱コイルに通電できれば良い。
【００６６】
また、本実施の形態において、蓄電池２５にニッケル水素電池を用いたが、リチウムイオン電池等、別の種類の電池を用いても良い。
【００６７】
また、本実施の形態において、電源回路２２後の電流は整流回路２３を共通に流れ、一方は第１の誘導加熱手段１、もう一方は充電手段２４に整流後の電流を送って整流回路２３の合理化を図っているが、整流回路を夫々に設けても良い。
【００６８】
即ち、第１の誘導加熱手段１の専用整流回路を具備し、充電手段の中に整流回路を設けて、夫々に対して電源回路２２から電流を供給する回路構成にしても良い。
【００６９】
（実施の形態２）
図９は、本発明の第２の実施の形態における誘導加熱調理器の本体の上面図である。
【００７０】
図９において、トッププレート４７は、上面に鍋等の被加熱物を載せられる。操作表示部４８は、これを用い使用者は各加熱状態を設定できる。トッププレート４７の下には第１の加熱コイル４９（図９に円形状の破線で外径と内径を示す。）を設け、第１の加熱コイル４９によって作られる加熱部５０を示すためにトッププレート４７に第１の加熱コイル４９の外径とほぼ同じ形状（円形パターン）を印刷している。
【００７１】
さらにトッププレート４７の下には第２の加熱コイル５１（図９に三日月状の破線で外径と内径を示す。）を設け、第２の加熱コイル５１によって作られる加熱部５２を示すためにトッププレート４７に第２の加熱コイル５１の外径とほぼ同じ形状（半円形パターン）を印刷している。
【００７２】
また、第１の加熱コイル４９の駆動は、商用の交流電源のみを使う第１の誘導加熱手段（図示せず）で行い、第２の加熱コイル５１の駆動は、蓄電池（図示せず）の電源のみを使う第２の誘導加熱手段（図示せず）で行っている。駆動構成は、実施の形態１と同様のため説明を省略する。
【００７３】
以上のように構成された誘導加熱調理器について、以下その動作、作用を説明する。
【００７４】
まず、被加熱物である鍋を加熱部５０の範囲内でトッププレート４７に載せて、操作表示部４８を使って操作をすることで、第１の誘導加熱手段が動作して、第１の加熱コイル４９に高周波電流が流れ、被加熱物を加熱することができる。この時の加熱出力は実施形態１と同様に１４５０Ｗ以下にしている。
【００７５】
一方、例えば被加熱物に長円形の鍋を用いて、加熱部５０の範囲を超え、加熱部５０だけでなく加熱部５２の範囲に入るようにトッププレート４７に載せると第１の誘導加熱手段だけでなく、第２の誘導加熱手段も動作し、第１の加熱コイル４９だけでなく第２の加熱コイル５１にも高周波電流が流れ、長円形の被加熱物を誘導加熱することができる。
【００７６】
即ち、加熱部５０に加熱部５２が加わり、一つの大きな加熱部を構成することになる。また、この時の加熱出力は第１の誘導加熱手段と第２の誘導加熱手段とを合わせて３０００Ｗ以下にしている。
【００７７】
以上のように本実施の形態においては、第１の加熱コイル４９と第２の加熱コイル５１とで一つの加熱部を構成し、商用の交流電源のみを使う第１の誘導加熱手段だけでなく、蓄電池に充電された電力を使う第２の誘導加熱手段も加えて使うことができ、定格電力が１４５０Ｗの商品で、３０００Ｗの加熱出力を出す商品を提供することができる。
【００７８】
（実施の形態３）
図１０は、本発明の第３の実施の形態における誘導加熱調理器の本体の上面図である。
【００７９】
図１０において、トッププレート５３は、上面に鍋等の被加熱物を載せられる。操作表示部５４は、これを用い使用者は各加熱状態を設定できる。トッププレート５３の下には第１の加熱コイル５５（図１０に円形状の破線で外径と内径を示す。）を設け、第１の加熱コイル５５によって作られる加熱部５６を示すためにトッププレート５３に第１の加熱コイル５５の外径とほぼ同じ形状（円形パターン）を印刷している。
【００８０】
さらにトッププレート５３の下には第２の加熱コイル５７（図１０に円形状の破線で外径と内径を示す。）を内径は第１の加熱コイル５５の外径より若干大きなドーナツ形状の第２の加熱コイル５７設け、第２の加熱コイル５７によって作られる加熱部５８を示すためにトッププレート４７に第２の加熱コイル５７の外径とほぼ同じ形状（円形パターン）を印刷している。
【００８１】
また、第１の加熱コイル５５の駆動は、商用の交流電源のみを使う第１の誘導加熱手段（図示せず）で行い、第２の加熱コイル５７の駆動は、蓄電池（図示せず）の電源のみを使う第２の誘導加熱手段（図示せず）で行っている。駆動構成は、実施の形態１と同様のため説明を省略する。
【００８２】
以上のように構成された誘導加熱調理器について、以下その動作、作用を説明する。
【００８３】
まず、被加熱物である鍋を加熱部５６の範囲内でトッププレート５３に載せて、操作表示部５４を使って操作をすることで、第１の誘導加熱手段が動作して、第１の加熱コイル５５に高周波電流が流れ、被加熱物を加熱することができる。
【００８４】
この時の加熱出力は実施の形態１と同様に１４５０Ｗ以下にしている。一方、例えば被加熱物に大口径の鍋を用いて、加熱部５６の範囲を超え、加熱部５６だけでなく加熱部５８の範囲に入るようにトッププレート５３に載せると第１の誘導加熱手段だけでなく、第２の誘導加熱手段も動作し、第１の加熱コイル５５だけでなく第２の加熱コイル５７にも高周波電流が流れ、大口径の鍋を誘導加熱することができる。
【００８５】
即ち、加熱部５６に加熱部５８が加わり、一つの大きな加熱部を構成することになる。また、この時の加熱出力は第１の誘導加熱手段と第２の誘導加熱手段とを合わせて３０００Ｗ以下にしている。
【００８６】
以上のように本実施の形態においては、第１の加熱コイル５５と第２の加熱コイル５７とで一つの加熱部を構成し、商用の交流電源のみを使う第１の誘導加熱手段だけでなく、蓄電池に充電された電力を使う第２の誘導加熱手段も加えて使うことができ、定格電力が１４５０Ｗの商品で、３０００Ｗの加熱出力を出す商品を提供することができる。
【００８７】
また、大口径の鍋や大口径のフライパン等、高出力が欲しい時に、蓄電池の充電電力を使って加熱出力を３０００Ｗまで上げることができ、使い勝手に適合した商品となる。また、第１の加熱コイル５５の外周にドーナツ状の第２の加熱コイル５７を設けた加熱コイル構成のため、比較的簡単に製造することができる。
【００８８】
（実施の形態４）
図１１は、本発明の第４の実施の形態における誘導加熱調理器の本体の上面図、図１２は本発明の第４の実施の形態における誘導加熱調理器の第２の誘導加熱手段の主加熱コイルを使って加熱している操作表示部を示す図、図１３は本発明の第４の実施の形態における誘導加熱調理器の第２の誘導加熱手段の副加熱コイルを使って加熱している操作表示部を示す図である。
【００８９】
図１１において、トッププレート５９は、上面に鍋等の被加熱物を載せられる。右側の操作表示部６０、左側の操作表示部６１は、これを用い使用者は各加熱状態を設定できる。
【００９０】
トッププレート５９の右側の下には第１の加熱コイル６２（図１１に円形状の破線で外径と内径を示す。）を設け、第１の加熱コイル６２の外径とほぼ同じ形状をトッププレー
ト５９に印刷することで、第１の加熱コイル６２の加熱部６３を表現している。
【００９１】
また、トッププレート５９の左側の下には第２の主加熱コイル６４（図１１に円形状の破線で外径と内径を示す。）を設け、第２の主加熱コイル６４の外径とほぼ同じ形状をトッププレート５９に印刷することで、第２の主加熱コイル６４の加熱部６５を表現している。
【００９２】
さらに、第１の加熱コイル６２の周囲には、第２の副加熱コイル６６（図１１に円形状の破線で外径と内径を示す。）をドーナツ状にして設け、第２の副加熱コイル６６の外径とほぼ同じ形状をトッププレート５９に印刷することで、第２の副加熱コイル６６の加熱部６７を表現している。６８は電源スイッチである。
【００９３】
また、第１の加熱コイル６２の駆動は、商用の交流電源のみを使う第１の誘導加熱手段（図示せず）で行い、第２の主加熱コイル６４および副加熱コイル６６の駆動は、蓄電池（図示せず）の電源のみを使う第２の誘導加熱手段（図示せず）で行っている。
【００９４】
なお、その駆動構成は、実施の形態１と同様のため説明を省略する。第２の主加熱コイル６４と副加熱コイル６６への高周波電流の供給は切替え回路を第２の誘導加熱手段の第２の駆動回路に具備することで、加熱状態に合わせて、第２の主加熱コイル６４もしくは副加熱コイル６６を切り替えて使用している。
【００９５】
その加熱コイルの切り替えについて、図１２、図１３を使って説明をする。
【００９６】
図１２、１３、において、右側の操作表示部６０の表示部６９は、例えば液晶表示にて形成し、表示部６９の近傍には、加熱（入／切）キー７０、揚げ物（入／切）キー７１、加熱コイル切り替えキー７２、火力調整の上げる側キー７３、火力調整の下げる側キー７４、タイマー調整の増やす側キー７５、タイマー調整の減らす側キー７６を設けている。
【００９７】
また、左側の操作表示部６１の表示部７７は、例えば液晶表示にて形成し、表示部６１の近傍には、加熱（入／切）キー７８、火力調整の上げる側キー８０、火力調整の下げる側キー８１、タイマー調整の増やす側キー８２、タイマー調整の減らす側キー８３を設けている。
【００９８】
鍋等の被加熱物を加熱部６３、６５の両方に置いて、電源スイッチ６８を入れ、加熱（入／切）キー７０、７８を入りにすると、図１２のようになる。
【００９９】
電源スイッチ６８を入れた時は、必ず、第２の誘導加熱手段（図示せず）は、第２の主加熱コイル６４に接続されるようになっており、実施の形態１と同様な状態（右側の誘導加熱は加熱出力１４５０Ｗ以下で使用、左側の誘導加熱は加熱出力３０００Ｗ以下で使用）で使用することができるので、説明は省略する。
【０１００】
ここで、右側の操作表示部６０の加熱コイル切り替えキー７２を押すと、第２の誘導加熱手段は、第２の副加熱コイル６６に切り替わって接続されるようになっており、右側の操作表示部６０に連動して、第１の加熱コイル６２と第２の副加熱コイル６６とは連動して動作することになる。
【０１０１】
もちろん、第１の加熱コイル６２へは第１の誘導加熱手段（図示せず）から、第２の副加熱コイル６６へは第２の誘導加熱手段（図示せず）から高周波電流が供給されることになる。
【０１０２】
したがって、右側の誘導加熱は加熱出力を３ｋＷまで高めることができる。もちろん、左側の誘導加熱は、実施の形態１と同様に加熱出力を３ｋＷまで使うことができ、しかも、商品の定格電力は１４５０Ｗを維持することができる。
【０１０３】
以上のように本実施の形態においては、第２の加熱コイルに対して主加熱コイル６４と副加熱コイル６６との２種類を設け、第２の誘導加熱手段の第２の駆動回路には主加熱コイル６４と副加熱コイル６６との接続を切替える切替え回路を具備し、第１の加熱コイル６２と第２の副加熱コイル６６とで一つの加熱部を構成し、第２の主加熱コイルは第１の加熱部から離れて設け、別の加熱部を構成することにより、夫々の加熱部は実質的に製品の定格電力を超えた出力で使用することができる。また、製品としては複数の加熱部を有する誘導加熱調理器を提案することができる。
【０１０４】
なお、本実施の形態において、第２の加熱コイルは主および副の２種類を用いたが、３個以上の加熱コイルを切替えても良く、切替えて使える加熱コイルの分だけ、加熱部の数を増やすことができる。
【０１０５】
また、本実施の形態１〜４において、商用の交流電源は１００Ｖとしているが、２００Ｖでも２３０Ｖでも良く、要は、第１の誘導加熱手段は商用の交流電源をそのまま使い、第２の誘導加熱手段は蓄電池に充電した電力を用いれば、製品の定格電力は小さい設定でも、実質的に定格電力を超える大きな加熱出力を生み出すことができる誘導加熱調理器を簡単な構成で、低コストにて提供することができる。
【０１０６】
もちろん、本実施の形態１〜４において、商品の定格出力は１４５０Ｗ、加熱出力の最大は３０００Ｗにしているが、これらの値は、商品ごとに設定を変えることをしても良い。
【０１０７】
なお、本実施の形態１〜４において、第１の誘導加熱手段は商用の交流電源をそのまま使う構成とし、第２の誘導加熱手段は蓄電池に充電した電力のみを使う構成としたが、さらに、蓄電池に充電した電力を使う別の誘導加熱手段を作って、複数の加熱部を有する誘導加熱調理器を提案してもよく、要は、少なくとも第１の誘導加熱手段は商用の交流電源を用いれば良い。
【産業上の利用可能性】
【０１０８】
以上のように、本発明にかかる誘導加熱調理器は、蓄電池を利用して電力容量が少ないところでも、複数の加熱部を有する製品や高出力の製品に対してコストを安く作ることが可能となるので、電力容量が少ない環境下で誘導加熱を使用する産業用分野等の用途にも適用できる。
【符号の説明】
【０１０９】
１  第１の誘導加熱手段
２  第２の誘導加熱手段
３  本体
４  第１の加熱コイル
５  第１の駆動回路
９  第２の加熱コイル
１０  第２の駆動回路
２０  交流電源
２３  整流回路
２４  充電手段
２５  蓄電池
２６  電源入力制御手段
２７  操作制御手段
４９、５５、６２  第１の加熱コイル
５１、５７  第２の加熱コイル
【図１】
2012003915.tif 000003
【図２】
2012003915.tif 000004
【図３】
2012003915.tif 000005
【図４】
2012003915.tif 000006
【図５】
2012003915.tif 000007
【図６】
2012003915.tif 000008
【図７】
2012003915.tif 000009
【図８】
2012003915.tif 000010
【図９】
2012003915.tif 000011
【図１０】
2012003915.tif 000012
【図１１】
2012003915.tif 000013
【図１２】
2012003915.tif 000014
【図１３】
2012003915.tif 000015